(57)【要約】  【課題】  自分で撮影したオリジナルのカメラ画像を用いた絵はがき（オリジナルの絵はがき）を作成・投函することのできるプログラムを提供する。  【解決手段】  絵はがき作成・投函用のプログラム７は、カメラ機能付きの携帯端末１で実行される。プログラム７は、携帯端末１に、携帯端末１で入力された宛先の住所情報を用いて絵はがきの表面データを作成する処理と、携帯端末１で撮影したカメラ画像の画像データを用いて絵はがきの裏面データを作成する処理と、表面データと裏面データを絵はがきの印刷投函業者サーバへ送信する処理を実行させる。画像データは、そのカメラ画像を撮影した場所の位置情報と関連付けられており、絵はがきの裏面データを作成する処理では、位置情報に基づいてそのカメラ画像を撮影した場所を示す地図表示を作成し、作成した地図表示を画像データに合成する処理が行われる。【選択図】  図１
2018073242.tif 000002
【特許請求の範囲】
【請求項１】
カメラ機能付きの携帯端末で実行される絵はがき作成・投函用のプログラムであって、
前記プログラムは、前記携帯端末に、
前記携帯端末で入力された宛先の住所情報を用いて、絵はがきの表面データを作成する処理と、
前記携帯端末で撮影したカメラ画像の画像データを用いて、絵はがきの裏面データを作成する処理と、
前記表面データと前記裏面データを絵はがきの印刷投函業者サーバへ送信する処理と、
を実行させるものであり、
前記画像データは、当該カメラ画像を撮影した場所の位置情報と関連付けられており、
前記絵はがきの裏面データを作成する処理では、前記位置情報に基づいて当該カメラ画像を撮影した場所を示す地図表示を作成し、作成した前記地図表示を前記画像データに合成する処理が行われることを特徴とするプログラム。
【請求項２】
前記絵はがきの裏面データを作成する処理では、前記位置情報に基づいて当該カメラ画像を撮影した場所を示す地名表示を作成し、作成した前記地名表示を前記画像データに合成する処理が行われる、請求項１に記載のプログラム。
【請求項３】
前記画像データは、当該カメラ画像を撮影した日時情報と関連付けられており、
前記絵はがきの裏面データを作成する処理では、前記日時情報を用いて当該カメラ画像を撮影した日時を示す日時表示を作成し、作成した前記日時情報を前記画像データに合成する処理が行われる、請求項１または請求項２に記載のプログラム。
【発明の詳細な説明】
【技術分野】
【０００１】
本発明は、カメラ機能付きの携帯端末で実行される絵はがき作成・投函用のプログラムに関する。
【背景技術】
【０００２】
従来から、様々な絵はがきが利用されている。例えば、旅行者は、旅先の風景写真などが印刷された絵はがきを購入し、友人や知人に宛てて投函する。
【発明の概要】
【発明が解決しようとする課題】
【０００３】
しかしながら、既製品の絵はがきでは、印刷されている風景写真の種類にも限界があり、利用者は、限られた選択肢の中から写真を選択せざるを得ない。旅先などで、自分で撮影したオリジナルのカメラ画像を用いた絵はがき（オリジナルの絵はがき）を容易に作成・投函できるシステムが開発されることが望まれるが、そのようなシステムは何ら提案されていない（本出願人は、そのような特許出願についての情報を持っていない）。
【０００４】
本発明は、上記の課題に鑑みてなされたもので、自分で撮影したオリジナルのカメラ画像を用いた絵はがき（オリジナルの絵はがき）を作成・投函することのできるプログラムを提供することを目的とする。
【課題を解決するための手段】
【０００５】
本発明のプログラムは、カメラ機能付きの携帯端末で実行される絵はがき作成・投函用のプログラムであって、前記プログラムは、前記携帯端末に、前記携帯端末で入力された宛先の住所情報を用いて、絵はがきの表面データを作成する処理と、前記携帯端末で撮影したカメラ画像の画像データを用いて、絵はがきの裏面データを作成する処理と、前記表面データと前記裏面データを絵はがきの印刷投函業者サーバへ送信する処理と、を実行させるものであり、前記画像データは、当該カメラ画像を撮影した場所の位置情報と関連付けられており、前記絵はがきの裏面データを作成する処理では、前記位置情報に基づいて当該カメラ画像を撮影した場所を示す地図表示を作成し、作成した前記地図表示を前記画像データに合成する処理が行われる。
【０００６】
この構成によれば、カメラ機能付きの携帯端末で撮影したカメラ画像を用いて絵はがきをプログラム上で作成することができる。プログラム上で絵はがきのデータ（表面データと裏面データ）を作成すると、そのデータが印刷投函業者へ送信され、そのデータに基づいて絵はがきが印刷・投函される。したがって、携帯端末のユーザは、携帯端末を用いて旅先などで自分で撮影したオリジナルのカメラ画像を用いた絵はがき（オリジナルの絵はがき）を、旅先などで容易に作成し投函することができる。
【０００７】
さらに、この場合、カメラ画像を撮影した場所の位置情報が画像データに関連づけられており、その位置情報を用いてカメラ画像を撮影した場所を示す地図情報が画像データに合成されて、絵はがきの裏面データが作成される。このようにして、カメラ画像とともに地図情報が絵はがき（絵はがきの裏面）に表示されるので、絵はがきを見るだけでそのカメラ画像を撮影した場所を容易に知ることができる。
【０００８】
また、本発明のプログラムでは、前記絵はがきの裏面データを作成する処理で、前記位置情報に基づいて当該カメラ画像を撮影した場所を示す地名表示を作成し、作成した前記地名表示を前記画像データに合成する処理が行われてもよい。
【０００９】
この構成によれば、カメラ画像を撮影した場所の位置情報が画像データに関連づけられており、その位置情報を用いてカメラ画像を撮影した場所を示す地名情報が画像データに合成されて、絵はがきの裏面データが作成される。このようにして、カメラ画像とともに地名情報が絵はがき（絵はがきの裏面）に表示されるので、絵はがきを見るだけでそのカメラ画像を撮影した場所を容易に知ることができる。
【００１０】
また、本発明のプログラムでは、前記画像データは、当該カメラ画像を撮影した日時情報と関連付けられており、前記絵はがきの裏面データを作成する処理では、前記日時情報を用いて当該カメラ画像を撮影した日時を示す日時表示を作成し、作成した前記日時情報を前記画像データに合成する処理が行われてもよい。
【００１１】
この構成によれば、カメラ画像を撮影した日時情報が画像データに関連づけられており、その日時情報を用いてカメラ画像を撮影した日時を示す日時情報が画像データに合成されて、絵はがきの裏面データが作成される。このようにして、カメラ画像とともに日時情報が絵はがき（絵はがきの裏面）に表示されるので、絵はがきを見るだけでそのカメラ画像を撮影した日時を容易に知ることができる。
【発明の効果】
【００１２】
本発明によれば、自分で撮影したオリジナルのカメラ画像を用いた絵はがき（オリジナルの絵はがき）を作成・投函することができる。
【図面の簡単な説明】
【００１３】
【図１】本発明の実施の形態における携帯端末の構成を示すブロック図である。
【図２】本発明の実施の形態における写真（カメラ画像）の撮影の様子を示す図である。
【図３】本発明の実施の形態における絵はがき（表面と裏面）の説明図である。
【図４】本発明の実施の形態における記憶部に記憶されるデータの一例を示す図である。
【図５】本発明の実施の形態における絵はがきの作成・投函処理の流れを説明するためのシーケンス図である。
【発明を実施するための形態】
【００１４】
以下、本発明の実施の形態のプログラムについて、図面を用いて説明する。本実施の形態では、旅先などでの絵はがきの作成・投函に用いられるプログラムの場合を例示する。
【００１５】
本発明の実施の形態を、図面を参照して説明する。図１は、本実施の形態のプログラムがインストールされた携帯端末の構成を示すブロック図である。図１に示すように、携帯端末１は、操作ボタンなどの入力部２と、ディスプレイなどの表示部３と、電話回線やインターネット網などへの接続するためのインターフェースである通信部４と、写真（カメラ画像）を撮影するための機能を有するカメラ部５と、メモリなどで構成される記憶部６を備えている。表示部３がタッチパネルで構成されている場合には、表示部３が入力部２を兼ねることもできる。
【００１６】
図２は、携帯端末１を用いて写真（カメラ画像）の撮影を行う様子を示す図である。携帯端末１のユーザは、旅先などで気に入った風景のカメラ画像を撮影する。撮影したカメラ画像の画像データは、記憶部６に保存される。なお、携帯端末１は、ＧＰＳ機能を備えており、ＧＰＳ機能により、写真を撮影したときの携帯端末１の位置情報（例えば緯度・経度など）を取得する。取得した位置情報は、画像データと関連付けて記憶部６に保存される（図４参照）。また、携帯端末１は、時計機能も備えており、時計機能により、写真を撮影したときの日時情報（年月日や時刻など）を取得する。取得した日時情報も、画像データと関連付けて記憶部６に保存される（図４参照）。
【００１７】
また、この携帯端末１には、絵はがき作成・投函用のプログラム７がインストールされている。プログラム７は、絵はがきの表面データを作成するための処理を行う表面データ作成部８と、絵はがきの裏面データを作成するための処理を行う裏面データ作成部９と、絵はがきのデータ（表面データと裏面データ）を印刷投函業者サーバ（図示せず）へ送信するための処理を行うデータ送信処理部１０を備えている。
【００１８】
表面データ作成部８は、携帯端末１で入力された宛先の住所情報を用いて、絵はがきの表面データを作成する機能を備えている。図３（ａ）には、絵はがきの表面の一例が示される。図３（ａ）に示すように、絵はがきの表面データには、宛先の住所情報１１と差出人の住所情報１２が含まれる。
【００１９】
宛先の住所情報１１や差出人の住所情報１２は、絵はがきの表面データを作成するときにユーザが入力することができる。宛先の住所情報１１や差出人の住所情報１２は、予め入力されていてもよい。予め入力された宛先の住所情報１１や差出人の住所情報１２は、記憶部６に保存される。予め入力された宛先の住所情報１１や差出人の住所情報１２が記憶部６に保存されている場合には、ユーザは、保存されている宛先の住所情報１１や差出人の住所情報１２を選択することにより、宛先の住所情報１１や差出人の住所情報１２を入力することもできる。
【００２０】
裏面データ作成部９は、携帯端末１で撮影したカメラ画像の画像データ１３を用いて、絵はがきの裏面データを作成する機能を備えている。図３（ｂ）には、絵はがきの裏面の一例が示される。図３（ｂ）に示すように、絵はがきの裏面データには、カメラ画像の画像データ１３、メッセージデータ１４、地図表示データ１５、地名表示データ１６、日時情報１７が含まれる。
【００２１】
カメラ画像の画像データ１３、メッセージデータ１４、地図表示データ１５、地名表示データ１６、日時情報１７は、絵はがきの裏面データを作成するときにユーザが入力することができる。カメラ画像の画像データ１３は、携帯端末１で撮影した写真（カメラ画像）のデータであり、記憶部６に保存されている。ユーザは、保存されているカメラ画像を選択することにより、カメラ画像の画像データ１３を入力することができる。
【００２２】
メッセージデータ１４は、文章などで構成されるメッセージのデータであり、絵はがきの裏面データを作成するときに入力部２からユーザが入力することができる。なお、定型のメッセージデータ１４が、記憶部６に保存されていてもよい。定型のメッセージデータ１４が記憶部６に保存されている場合には、ユーザは、保存されている定型のメッセージを選択することにより、メッセージデータ１４を入力することもできる。このようにして入力されたメッセージデータ１４は、絵はがきの裏面データ上でカメラ画像の画像データ１３に合成される（図３（ｂ）参照）。
【００２３】
地図表示データ１５は、写真（絵はがき用に選択した写真）を撮影した場所を示す地図（例えば日本地図など）のデータであり、その写真（カメラ画像）の画像データ１３と関連付けて記憶部６に保存されている位置情報に基づいて作成される。地図表示の縮尺はユーザが任意に設定することができる。地図表示データ１５は、予め記憶部６に保存されていてもよい。また、地図提供サーバ（図示せず）に位置情報を送信することにより、地図提供サーバから取得してもよい。地図提供サーバから取得した地図表示データ１５は、記憶部６に（一時的に）保存される（図４参照）。ユーザが、記憶部６に保存されている地図表示データ１５を選択し、必要に応じて地図表示の縮尺を変更する。このようにして作成された地図表示データ１５は、絵はがきの裏面データ上でカメラ画像の画像データ１３に合成される（図３（ｂ）参照）。
【００２４】
地名表示データ１６は、写真（絵はがき用に選択した写真）を撮影した場所を示す地名（例えば京都など）のデータであり、その写真（カメラ画像）の画像データ１３と関連付けて記憶部６に保存されている位置情報に基づいて作成される。地名表示データ１６は、予め記憶部６に保存されていてもよい。また、地名提供サーバ（図示せず）に位置情報を送信することにより、地名提供サーバから取得してもよい。地名提供サーバから取得した地名表示データ１６は、記憶部６に（一時的に）保存される（図４参照）。ユーザが「地名表示追加」を選択操作すると、記憶部６に保存されている地名表示データ１６が、絵はがきの裏面データ上でカメラ画像の画像データ１３に合成される（図３（ｂ）参照）。なお、地名表示データ１６は、ユーザが入力部２で入力・編集することもできる。
【００２５】
日時情報１７は、写真（絵はがき用に選択した写真）を撮影した日時（例えば年月日や時刻）を示すデータであり、その写真（カメラ画像）の画像データ１３と関連付けて記憶部６に保存されている。ユーザが「日時表示追加」を選択操作すると、記憶部６に保存されている日時情報１７が、絵はがきの裏面データ上でカメラ画像の画像データ１３に合成される（図３（ｂ）参照）。
【００２６】
データ送信処理部１０は、通信部４を介して、絵はがきの表面データと裏面データを印刷投函業者サーバへ送信する機能を備えている。例えば、携帯端末１で「データ送信」を示すユーザ操作があったときに、表面データと前記裏面データが、絵はがきの印刷投函業者サーバへ送信される。
【００２７】
以上のように構成されたプログラム７について、図５のシーケンス図を参照してその動作を説明する。
【００２８】
図５に示すように、本発明の実施の形態のプログラム７を用いて絵はがきを作成・投函する場合には、まず、旅先などで携帯端末１を用いて写真（カメラ画像）を撮影する（Ｓ１）。撮影した写真（カメラ画像）の画像データ１３は、携帯端末１の記憶部６に保存される（Ｓ２）。
【００２９】
絵はがきを作成・投函するときには、携帯端末１にインストールされているプログラム７を起動する（Ｓ３）。そして、携帯端末１で宛先や差出人の住所情報１２を入力することにより、絵はがきの表面データを作成し（Ｓ４）、また、携帯端末１に保存されているカメラ画像（携帯端末１で撮影したカメラ画像）の画像データ１３を用いて絵はがきの裏面データを作成する（Ｓ５）。絵はがきデータ（表面データと裏面データ）の作成が完了した後、携帯端末１で「データ送信」を示すユーザ操作を行うと、絵はがきデータ（表面データと裏面データ）が携帯端末１から印刷投函業者サーバへ送信される（Ｓ６）。
【００３０】
印刷投函業者は、印刷投函業者サーバで受信した絵はがきデータ（表面データと裏面データ）に基づいて、絵はがきの印刷を行い（Ｓ７）、印刷が完了した絵はがきを投函する（Ｓ８）。
【００３１】
このような本発明の実施の形態の絵はがき作成・投函用のプログラム７によれば、カメラ機能付きの携帯端末１で撮影したカメラ画像を用いて絵はがきをプログラム７上で作成することができる。プログラム７上で絵はがきのデータ（表面データと裏面データ）を作成すると、そのデータが印刷投函業者へ送信され、そのデータに基づいて絵はがきが印刷・投函される。したがって、携帯端末１のユーザは、携帯端末１を用いて旅先などで自分で撮影したオリジナルのカメラ画像を用いた絵はがき（オリジナルの絵はがき）を、旅先などで容易に作成し投函することができる。
【００３２】
さらに、この場合、カメラ画像を撮影した場所の位置情報が画像データ１３に関連づけられており、その位置情報を用いてカメラ画像を撮影した場所を示す地図情報が画像データ１３に合成されて、絵はがきの裏面データが作成される。このようにして、カメラ画像とともに地図情報が絵はがき（絵はがきの裏面）に表示されるので、絵はがきを見るだけでそのカメラ画像を撮影した場所を容易に知ることができる。
【００３３】
また、本実施の形態では、カメラ画像を撮影した場所の位置情報が画像データ１３に関連づけられており、その位置情報を用いてカメラ画像を撮影した場所を示す地名情報が画像データ１３に合成されて、絵はがきの裏面データが作成される。このようにして、カメラ画像とともに地名情報が絵はがき（絵はがきの裏面）に表示されるので、絵はがきを見るだけでそのカメラ画像を撮影した場所を容易に知ることができる。
【００３４】
また、本実施の形態では、カメラ画像を撮影した日時情報１７が画像データ１３に関連づけられており、その日時情報１７を用いてカメラ画像を撮影した日時を示す日時情報１７が画像データ１３に合成されて、絵はがきの裏面データが作成される。このようにして、カメラ画像とともに日時情報１７が絵はがき（絵はがきの裏面）に表示されるので、絵はがきを見るだけでそのカメラ画像を撮影した日時を容易に知ることができる。
【００３５】
以上、本発明の実施の形態を例示により説明したが、本発明の範囲はこれらに限定されるものではなく、請求項に記載された範囲内において目的に応じて変更・変形することが可能である。
【産業上の利用可能性】
【００３６】
以上のように、本発明にかかるプログラムは、自分で撮影したオリジナルのカメラ画像を用いた絵はがき（オリジナルの絵はがき）を作成・投函することができるという効果を有し、旅先などでの絵はがきの作成・投函に用いられ、有用である。
【符号の説明】
【００３７】
１  携帯端末
２  入力部
３  表示部
４  通信部
５  カメラ部
６  記憶部
７  プログラム
８  表面データ作成部
９  裏面データ作成部
１０  データ送信処理部
１１  宛先の住所情報
１２  差出人の住所情報
１３  画像データ
１４  メッセージデータ
１５  地図表示データ
１６  地名表示データ
１７  日時情報
【図１】
2018073242.tif 000003
【図２】
2018073242.tif 000004
【図３】
2018073242.tif 000005
【図４】
2018073242.tif 000006
【図５】
2018073242.tif 000007